(57)【特許請求の範囲】
【請求項１】
テレビ装置と貴重品を収納する保管庫を組み込んだ病院ベッド近傍に配置する床頭台において、
物が動くことに反応する動体センサーと、
該動体センサーの検知信号によって作動するビデオカメラと撮影回路と、
該作動したビデオカメラと撮影回路を所定時間稼働させるタイマーと、
撮影記録を記録する記録素子とを前記テレビ装置に一体的に組み込み、
テレビ装置の近傍で物が動いたことを検知して、テレビ装置の近傍の状況を所定時間撮影して記録し、
前記保管庫には保管庫の作動を検知する作動センサーを設け、該作動センサーを前記タイマーに接続して、該作動センサーの検知信号によって前記タイマーを作動するようにしてベッド近傍の状況を所定時間撮影して記録すること
を特徴とする盗難監視システム付き床頭台。
【請求項２】
前記記録素子は、記録容量が満杯になった場合は、自動的に古い記録内容を順次消去して新たに記録することを特徴とする請求項１に記載の盗難監視システム付き床頭台。
【請求項３】
前記記録素子はハードディスク又はメモリーカードであることを特徴とする請求項１又は２に記載の盗難監視システム付き床頭台。
【請求項４】
前記タイマーの設定及び記録素子の操作パネルには鍵付きの蓋体を設けて監視権限のある者しか操作できないようにしたことを特徴する請求項１又は２又は３に記載の盗難監視システム付き床頭台。
【発明の詳細な説明】
【技術分野】
【０００１】
本発明は、病院のベッド等に配置するテレビ装置に関し、さらに詳しくは、テレビ装置に盗難監視等の録画装置を組み込んだ盗難監視システム付きテレビ装置に関するものである。
【背景技術】
【０００２】
従来より、病院のベッド等にはテレビ装置を備え付けた床頭台が配置されているが、このおり、この床頭台には鍵付きの貴重品を入れる小型ロッカーが引出しに組み込まれている。また、特許文献１、特許文献２に開示されているように、病院内ではテレビ共聴ラインを利用して、各ベッドに病室端末機・テレビ装置・テレビカメラ・マイクを配備してナースステイションと互いにコミュニケーションをとる病棟看護用の通信システムも提案されている。
【先行技術文献】
【特許文献】
【０００３】
【特許文献１】実用新案登録第３０４０１３１号公報
【特許文献２】特開平９−２９４７８４号公報
【発明の概要】
【発明が解決しようとする課題】
【０００４】
ところで、上述した特許文献１、２に開示される画像端末装置は、ベッド近傍に設置されるテレビ装置とビデオカメラを取り付けたものではあるが、ビデオカメラの稼働は必要時にＯＮ/ＯＦＦするもので、ベッド近傍で盗難があった場合等の監視ではないので、盗難状況の解析には不向きであった。
また、ビデオカメラを常時稼働させることも考えられるが、無駄な電力消費を費やすばかりか、プライベートが守れない等の問題点があった。
本発明は、このような問題点に鑑みてなされたもので、病院ベッドの近傍や床頭台の貴重品を入れた保管庫での盗難を防止し、保管庫等を監視するもので、特に、テレビ装置の近傍で物や人が動いたときに、この状況を記録しておき、後日テレビ近傍の状況を解析可能にする盗難監視システム付きテレビ装置を提供するものである。
【課題を解決するための手段】
【０００５】
上記課題を解決するために、請求項１の発明は、テレビ装置と貴重品を収納する保管庫を組み込んだ病院ベッド近傍に配置する床頭台において、
物が動くことに反応する動体センサーと、該動体センサーの検知信号によって作動するビデオカメラと撮影回路と、該作動したビデオカメラと撮影回路を所定時間稼働させるタイマーと、撮影記録を記録する記録素子とを前記テレビ装置に一体的に組み込み、テレビ装置の近傍で物が動いたことを検知して、テレビ装置の近傍の状況を所定時間撮影し記録し、前記保管庫には保管庫の作動を検知する作動センサーを設け、該作動センサーを前記タイマーに接続して、該作動センサーの検知信号によって前記タイマーを作動するようにしてベッド近傍の状況を所定時間撮影して記録することを特徴とする盗難監視システム付き床頭台である。
【０００６】
請求項２の発明は、請求項１に記載の盗難監視システム付き床頭台において、前記記録素子は、記録容量が満杯になった場合は、自動的に古い記録内容を順次消去して新たに記録することを特徴とする。
請求項３の発明は、請求項１又は２に記載の盗難監視システム付き床頭台において、前記記録素子はハードディスク又はメモリーカードであることを特徴とする。
請求項４の発明は、請求項１又は２又は３に記載の盗難監視システム付き床頭台において、前記タイマーの設定及び記録素子の操作パネルには鍵付きの蓋体を設けて監視権限のある者しか操作できないようにしたことを特徴する。
【発明の効果】
【０００７】
上記の課題を解決するために、請求項１の盗難監視システム付き床頭台によれば、病院ベッド近傍に配置するテレビ装置に、物が動くことに反応する動体センサーと連動してビデオカメラと撮影回路を稼働させ、その動画を録画しておけるので、後で盗難等があった場合にその状況を解析することが可能となる。
また、物が動くことを動体センサーで検知した後にタイマーで所定時間だけビデオカメラと撮影回路や記録素子等を稼働させ、その後は電源を切るので無駄な電力を消費することがない。
また、盗難の最も対象になりやすい床頭台の保管庫には作動センサーを設けて、作動センサーの検知信号によって、前記タイマーが作動するようにし、ベッド近傍の状況を所定時間撮影して記録するようにしたので、盗難監視がより確実になる。
【０００８】
請求項２の発明によれば、請求項１の効果に加えて、記録容量が満杯になった場合は、自動的に古い記録内容を順次消去して新たな記録するので、新たに記録素子を取り替えなくても自動的に直近の動画が保存できる。
請求項３の発明によれば、請求項１又は２の効果に加えて、記録素子はハードディスク又はメモリーカードとしたので、簡易に記録することができ、特に、メモリーカードとすることで、保管の簡易にできる。
請求項４の発明によれば、請求項１乃至３の効果に加えて、タイマーの設定及び記録素子の操作パネルには鍵付きの蓋体を設けて監視権限のある者しか操作できないようにしたので、プライバイシーを適切に保護することができる。
【図面の簡単な説明】
【０００９】
【図１】本発明の実施例の盗難監視システムを組み込んだテレビ装置を床頭台に据え付けた状態の外観斜視図、
【図２】図１の盗難監視システムの操作パネルの拡大斜視図、
【図３】本発明の盗難監視システムの実施例のブロック図、
【図４】ナースステーションの集中管理画面の説明図である。
【発明を実施するための形態】
【００１０】
本発明の盗難監視システム付きテレビ装置の実施例を図面に沿って説明する。
通常、病院等のベッド近傍には床頭台１が配置され、先ず、図１に示すように、この床頭台１は天板１１の上部には液晶型テレビ装置２が配置され、床頭台１の前面の上段１２にはテレビ視聴の課金等を制御するカードタイマー１７、中段１３には引出１８、その引出１８の一部の内部には貴重品等を保管する鍵孔１８２を有した鍵で開閉可能な保管庫１８１が設けられ、下段１４には冷蔵庫１９が配置され、底板１５には４個のキャスター１６が取り付けられ床頭台１を移動可能にしている。
【００１１】
テレビ装置２の適所には盗難監視システム３が組み込まれるが、この盗難監視システム３を構成するマイク３３１付きの監視ビデオカメラ３３及び動体センサー５も一体的に組み込まれている。
なお、本実施例では監視ビデオカメラ３３をベッド近傍での人物等の動きが撮影できるテレビ装置２の上面付近に設置したが、監視ビデオカメラ３３はベッド近傍での人物等の動きが撮影できる位置であれば、本実施例以外でもテレビ装置の前面下方、或いは側面でもよく、動体センサー５は人や物等の動きが感知できる位置であればどこでもよい。この動体センサー５は、モーションセンサー或いは人体検出赤外線センサーとも呼ばれ、赤外線の変化を検出するもので、例えば集電型赤外線センサー(パナソニック電工：商標登録NaPiOn)で、熱源の温度変化や移動を検出するものである。
【００１２】
テレビ装置２の枠体２１の適所、本実施例では上面２２に蓋体４１付きの操作パネル４が設けられ、図２の拡大斜視図に示すように、窪み部に設けられた操作パネル４には盗難監視システム３の稼働スイッチ４２、ＳＤカード(登録商標)等のメモリーカードのためのカードスロット４３、タイマー設定ツマミ４４、必要に応じて記録内容を出力する出力端子４５が設けられている。
【００１３】
この操作パネル４は、安易に操作できないように、通常は操作出来ないように蓋４１で覆われ、蓋４１を開けるには鍵穴４１１に鍵４１４を差し込んで、鈎４１２を回動して、鈎受け４１３から契合を解錠して蓋４１を図２の状態に上方に開けることができるように構成されている。これは記録素子に記録されて内容がプライバシーに係わる可能性もあるので、監視権限のある責任者の認可がなければ盗難監視システムの操作でがきないようにするためである。
【００１４】
盗難監視システム３の構成を図３のブロック図に沿って説明する。
盗難監視システム３の電源はテレビ側電源２３を利用した電源回路３１であり、この電源回路３１から撮影回路３２に電源を供給しており、更に、この撮影回路３２から監視ビデオカメラ３３、タイマー３４、記録回路３５等の電源を必要とする各回路に電源を供給している。なお、テレビ側電源２３を利用しているが、テレビ装置のＯＮ／ＯＦＦと連動するものではなく、テレビを視聴していなくても盗難監視システム３には電源が供給できるようにしてある。
【００１５】
テレビ装置２の前面には、監視ビデオカメラ３３及び動体センサー５が組み込まれている。また、床頭台１の貴重品入れとして使用される保管庫１８１が収納されている引出１８には、鍵穴１８２に鍵が差し込まれたことを感知する保管庫(貴重品入)の作動センサー５１を設けている。なお、この作動センサー５１は鍵でなくても保管庫１８１が収納されている引き出しが動いたことを感知するセンサーでもよく、公知の構造のセンサーでもよい。
【００１６】
ベッド及び床頭台１の近傍で人物が動くとそれを動体センサー５が感知し、その感知信号をタイマー３４に入力して、タイマー３４を稼働して設定された時間内に盗難監視システム３全体が稼働されるようになっている。同様に、保管庫１８１の鍵が差し込まれたり引出１８が動くとそれを作動センサー５１が感知し、その感知信号をタイマー３４に入力して、タイマー３４を稼働して設定された時間内に盗難監視システム３全体が稼働されるようになっている。
また、タイマー３４の稼働時間設定は、タイマー設定回路３４１のタイマー設定ツマミ４４の操作でなされるが、設定の例としては、５分、１０分、３０分、無制限の時間設定(タイマーを働かせない)が想定されるが、使用の要望に応じて自由である。
【００１７】
このように、動体センサー５や作動センサー５１が作動されると、盗難監視システム３が稼働され、床頭台１を含めたベッド近傍の状況を、監視ビデオカメラ３３と撮影回路３２で撮影を開始し、この内容を記録回路３５によってハードディスク或いはＳＤカード等の記録素子３６に記録して保存する。
記録素子３６は、ハードディスク又はメモリーカードでよく、本実施例ではハードディスクとＳＤカード(商標登録)を併用しており、記録容量が満杯になった場合は、自動的に古い記録内容を順次消去して新たな内容を順次記録するようにしている。そして、設定された時間が経過すると、タイマー３４が作動して盗難監視システム３の電源を閉じる。
後日、撮影記録が必要になった場合には、メモリーカードをカードスロット４３から引き抜いて分析及び管理をすればよく、メモリーカードを使用しない場合には、記録内容を出力する出力端子４５から別の機器の記録素子３６に記録内容を移して保存してもよい。さらに、図３で一点鎖線で示したように、必要であれば、現状の撮影状況や過去の記録内容を、構内回線６１を介して管理部門であるナースステーション６等で監視できるようにしてもよい。
【００１８】
この際に、図４に示すように、ナースステーション６の監視すべきテレビ装置２からの構内回線６１(61-1、61-2・・61-n)に接続した集中監視画面６２を配備し、この集中監視画面６２は動体センサー５或いは作動センサー５１が作動して撮影回路３２が稼働しているテレビ装置２の監視ビデオカメラ３３の撮影画面のみを分割して表示して監視するようにしてもよい。
場合によっては、集中監視画面６２にもビデオカメラ６２１とマイク６２２を組み込んでおき、ナースコールされているベッド番号は動体センサー５が作動しているので、そのベッドでのベッド番号(1,3,5・・・33)とともに分割画面に表示させておけば、ナースステーション６での看護師等はそのベッド番号の画面を拡大表示し、ベッド側のテレビ装置２の画面も立ち上げて患者と看護師等の間でテレビ電話を形成するようにしてもよい。
【００１９】
以上の詳述したように、本実施例の盗難監視システム付きテレビ装置によれば、
病院ベッド近傍に配置するテレビ装置に、物が動くことに反応する動体センサーと連動してビデオカメラと撮影回路を稼働させ、その動画を録画しておけるので、後で盗難等が発覚した場合にその状況を解析することが可能となる。
また、物が動くことを動体センサーで検知した後に、タイマーで所定時間だけビデオカメラと撮影回路や記録素子等を稼働させ、その後は電源を切るので無駄な電力を消費することがない。もっとも、必要があればタイマーを切って連続撮影も可能としている。また、盗難の最も対象になりやすい床頭台の引き出しに引出作動センサーを接続して、引出センサーの検知信号によって作動するようにしたので、盗難監視がより確実になる。
【００２０】
さらに、記録容量が満杯になった場合は、自動的に古い記録内容を順次消去して新たに記録するので、記録素子を取り替えなくても自動的に直近の動画が保存でき、記録素子はハードディスク又はメモリーカードとしたので、簡易に記録することができ、特に、メモリーカードとすることで、保管の簡易にできる。
また、タイマーの設定及び記録素子の操作パネルには鍵付きの蓋体を設けて監視権限のある者しか操作できないようにしたので、プライバイシーを適切に保護することができる。
なお、本発明の特徴を損なうものでなければ、上記の実施例に限定されるものでないことは勿論である。
【符号の説明】
【００２１】
１・・床頭台、１１・・天板、１２・・上段、１３・・中段、
１４・・下段、１５・・底板、１６・・キャスター、
１７・・カードタイマー、１８・・引出、１８１・・保管庫、
１８２・・ロッカー開閉用の鍵穴、１９・・冷蔵庫、
２・・テレビ装置、２１・・枠体、２２・・上面、２３・・テレビ側電源、
３・・盗難監視システム、３１・・電源回路、３２・・撮影回路、
３３・・監視ビデオカメラ、３３１・・マイク、３４・・タイマー、
３４１・・タイマー設定回路、３５・・記録回路、３６・・記録素子、
４・・操作パネル、４１・・蓋体、４１１・・鍵穴、４１２・・鈎、
４１３・・鈎受け、４１４・・鍵、４２・・稼働スイッチ、
４３・・カードスロット、４４・・タイマー設定ツマミ、４５・・出力端子、
５・・動体センサー、５１・・作動センサー、
６・・ナースステーション、６１・・構内回線、６２・・集中監視画面、
６２１・・ビデオカメラ、６２２・・マイク
【図１】
0005748337.tif 000002
【図２】
0005748337.tif 000003
【図３】
0005748337.tif 000004
【図４】
0005748337.tif 000005